(57)【要約】【課題】地震時において免震構造物と非免震構造物とが相対移動しても、破損するおそれの少ないエキスパンションジョイントカバーを提供する。【解決手段】外壁１１０側に設置されたスライド床１１と、地盤１１１側に片持ちされた固定床１２とを備えており、スライド床１１と、固定床１２とでフィンガージョイントを形成している。スライド床１１はスライドバー１１ａが櫛状に並列されてなり、スライドバー１１ａの裏側には補強バー１１ｃと補強板１１ｂからなる補強部材で補強されている。スライド床１１には、スライド床１１を間隙１１３の長さ方向に移動可能とするスライド手段が設けられている。【選択図】        図１
2008297788.tif 000002
【特許請求の範囲】
【請求項１】
免震構造物と非免震構造物との間隙を塞ぐためのエキスパンションジョイントカバーであって、
櫛状に並列する多数本のスライドバーが該免震構造物側に設置されたスライド床と、該間隙の幅方向に櫛状に並列する多数本の固定バーが下方に空間を空けて該非免震構造物に固定された固定床とがフィンガージョイントを形成しており、
該スライド床の裏側には該スライドバーの変形を防止する補強部材が該固定床の下側へ挿入可能に設けられており、
該スライド床の免震構造物側の端部には、該スライド床を該間隙の長さ方向に移動可能とするスライド手段が設けられていることを特徴とするエキスパンションジョイントカバー。
【請求項２】
補強部材は該スライド床の裏側で幅方向に差し渡され、多数本のスライドバーを連結して固定していることを特徴とする請求項１記載のエキスパンションジョイントカバー。
【請求項３】
固定床の下側の非免震構造物上には、固定バーの長さ方向に延在して固定された受レールが設けられており、スライド床の裏側には、受レールに対面する位置に延在して固定され、該受レール上をスライド移動可能なスライド部材が設けられていることを特徴とする請求項１又は２記載のエキスパンションジョイントカバー。
【請求項４】
スライド部材とスライドバーとの間に隙間が設けられていることを特徴とする請求項３記載のエキスパンションジョイントカバー。
【請求項５】
受レールは非免震構造物側から間隙側に突出して設けられていることを特徴とする請求項１乃至４のいずれか１項記載のエキスパンションジョイントカバー。
【発明の詳細な説明】
【技術分野】
【０００１】
本発明は、免震構造物の周囲の間隙を塞ぐために設置されるエキスパンションジョイントカバーに関する。
【背景技術】
【０００２】
免震建物等の免震構造物を設置する場合、免震構造物と非免震構造物とが地震時において互いに干渉することを避けるため、免震構造物と非免震構造物との間に間隙が設けられる。この間隙は、建物の周囲に設けられたエキスパンションジョイントカバーの床部材によって遮蔽され、通行等の障害とならないようにされる。
【０００３】
しかし、地震時には免震構造物と非免震構造物とが相対運動をするため、エキスパンションジョイントカバーが破損するおそれがある。このため、地震時における免震構造物と非免震構造物との相対運動に対してフレキシブルに対応できるように、フィンガージョイントを用いたエキスパンションジョイントカバーが提案されている（特許文献１）。このエキスパンションジョイントカバーは、図１３及び図１４に示すように、多数本の固定バー９１が免震構造物１０１と非免震構造物１０２との間の間隙９２の幅方向に櫛状に並列して固定された固定床９３と、該固定床９３に噛合するように多数本のスライドバー９４が櫛状に並列して設置されたスライド床９５とを備えており、固定床９３とスライド床９５とによってフィンガージョイント９６が形成されている。また、スライド床９５の裏側の構造物１０１側の一端には、図１５に示すように、所定の間隔でローラ９７ａ、９７ｂ、９７ｃ、９７ｄが取付けられており、スライド床９５が図１３に示すＹ方向に移動可能とされている。
【０００４】
このエキスパンションジョイントカバーは、免震構造物と非免震構造物とが間隙の幅方向（図１３におけるＸ方向）に相対運動した場合に、固定床９３とスライド床９５とからなるフィンガージョイント９６によって、固定床９３とスライド床９５との干渉を防ぐことができる。また、免震構造物と非免震構造物とが間隙の長さ方向（図１３におけるＹ方向）に相対運動した場合に、ローラ９７ａ、９７ｂ、９７ｃ、９７ｄが構造物１０１上で転がり、スライド床９５が構造物１０１上とを移動する。これにより、スライド床９５が固定床９３と干渉することを防ぐことができるとしている。
【０００５】
【特許文献１】特開平１１−１００９０７号公報
【発明の開示】
【発明が解決しようとする課題】
【０００６】
しかし、上記特許文献１のエキスパンションジョイントカバーでは、スライドバー９４が構造物１０１側の端部で片持ち固定されているだけであるため、免震構造物１０１と非免震構造物１０２とが間隙の長さ方向（図１３におけるＹ方向）に相対運動した場合、スライドバー９４が固定バー９３によってＹ方向に押され、折れ曲がて破損するおそれがあった。特に、スライド床９５が固定床９３から引き抜かれる方向に移動した状態において、図１３におけるＹ方向に相対運動した場合には、スライドバー９４を固定している支点から力点までの距離が長くなり、大きな力のモーメントを受けて変形をするおそれがある。
【０００７】
本発明は、上記従来の実情等に鑑みてなされたものであり、地震時において免震構造物と非免震構造物とが相対移動しても、破損するおそれの少ないエキスパンションジョイントカバーを提供することを解決すべき課題としている。
【課題を解決するための手段】
【０００８】
発明者は、特許文献１に記載のエキスパンションジョイントカバーにおける上記問題点を解決すべく、スライドバーを補強することを考えた。しかし、スライド床を補強するための補強部材をスライド床の裏側に設けた場合、地震時にスライド床と固定床とが近づいたときに補強部材と固定床とが干渉して破損してしまう。このため、スライド床の裏側に補強材を設けたとしても、地震時において補強材と固定床とが干渉しない構造について鋭意検討した。その結果、固定床を下方に空間を空けつつ非免震側で固定し、固定床の下方に空間を設け、その空間にスライド床の補強材が挿入するようにすれば、上記課題を解決できることを考案し、本発明を完成するに至った。
【０００９】
すなわち、本発明のエキスパンションジョイントカバーは、免震構造物と非免震構造物との間隙を塞ぐためのエキスパンションジョイントカバーであって、
櫛状に並列する多数本のスライドバーが該免震構造物側に設置されたスライド床と、該間隙の幅方向に櫛状に並列する多数本の固定バーが下方に空間を空けて該非免震構造物に固定された固定床とがフィンガージョイントを形成しており、
該スライド床の裏側には該スライドバーの変形を防止する補強部材が該固定床の下側へ挿入可能に設けられており、
該スライド床の免震構造物側の端部には、該スライド床を該間隙の長さ方向に移動可能とするスライド手段が設けられていることを特徴とする。
【００１０】
本発明の第１の局面のエキスパンションジョイントカバーでは、固定床の固定バー間の隙間に、スライド床のスライドバーが挿入され、これによりフィンガージョイントが形成されている。このため、免震構造物と非免震構造物との間隙が地震動によって幅方向に伸縮しても、固定床とスライド床とが干渉することはない。
また、スライド床の免震構造物側の端部には、スライド床を免震構造物と非免震構造物との間隙の長さ方向に移動可能とするスライド手段が設けられている。このため、免震構造物と非免震構造物とが地震動によって間隙の長さ方向に伸縮した場合、スライド床のスライドバーが固定床の固定バーから間隙の長さ方向に力を受け、スライド手段によってスライド床が固定床とともに移動する。このため、スライドバーと固定バーとの干渉によるスライドバーや固定バーの変形が防止される。
さらには、スライド床の裏側にスライドバーの変形を防止する補強部材が設けられおり、補強部材は固定床の下側に挿入可能とされているため、地震時にスライド床と固定床とが近づいても、補強部材と固定床とは干渉することはない。このため、地震時においてもスライド床は補強部材によって補強されることとなる。
【００１１】
したがって、本発明のエキスパンションジョイントカバーによれば、地震時において免震構造物と非免震構造物とが相対移動しても、破損するおそれが少なくなる。
【００１２】
本発明の第２の局面のエキスパンションジョイントカバーでは、補強部材は該スライド床の裏側で幅方向に差し渡され、多数本のスライドバーを連結して固定することとした。こうであれば、スライドバーに加わる力が補強部材にも分担されることとなり、スライドバーの変形を防止することができる。
【００１３】
本発明の第３の局面のエキスパンションジョイントカバーでは、固定床の下側の非免震構造物上には、固定バーの長さ方向に延在して固定された受レールが設けられており、スライド床の裏側には、受レールに対面する位置に延在して固定され、該受レール上をスライド移動可能なスライド部材が設けられていることとした。
こうであれば、スライド床が非免震構造物上を間隙の幅方向に移動可能となる。また、スライド床のスライドバーの上を人や車両が通過することによって大きな荷重がかかったとしても、スライドバーの裏側に固定されたスライド部材及び非免震構造物に固定された受レールによって、その荷重を支えることができる。このため、スライド床のスライドバーの強度をそれほど大きくする必要がなくなり、スライドバーの幅や高さを小さくすることができ、ひいては、製造コストを低廉化することができる。
【００１４】
また、スライド部材と受レールの組み合わせの代わりに、スライド床の裏側にローラを取付けた構造とすることができる。このような構造としても、ローラが非免震構造物上を回転し、スライド床が非免震構造物上を間隙の幅方向に移動可能となる。
【００１５】
本発明の第４の局面のエキスパンションジョイントカバーでは、スライド部材とスライドバーとの間に隙間が設けられていることとした。複数の複数本のスライドバー上に一つのスライド部材が固定されている場合、スライドバー間の隙間に落ちた塵埃の逃げ場がなく、排除が困難となる。これに対し、スライド部材とスライドバーとの間に隙間が設けられていれば、スライド部材上に落ちた塵埃をその隙間から排除させることができる。このため、スライドバー間に落ちた塵埃の排除が容易となる。
【００１６】
本発明の第５の局面のエキスパンションジョイントカバーでは、受レールは非免震構造物側から間隙側に突出して設けられていることとした。
こうであれば、免震構造物と非免震構造物との間の間隙が長くても、間隙側に突出する受けレールによってスライド床を支えることができるため、間隙の幅がエキスパンションジョイントカバーの可動範囲よりも長くても、スライド床の長さを間隙の幅よりも短くすることができる。また、スライド床を支える受レールが非免震構造物側から間隙側に突出する分だけ長くなり、機械的な強度を増すことができる。このため、スライド床のスライドバーの強度をさらに小さくすることができ、スライドバーの幅や高さをさらに小さくすることができ、ひいては、製造コストをさらに低廉化することができる。
【発明を実施するための最良の形態】
【００１７】
以下、本発明を具体化した実施例を図面を参照しつつ説明する。
（実施例１）
実施例１のエキスパンションジョイントカバーは、図１及び図２に示すように、免震構造物の外壁１１０と非免震構造物である地盤１１１との間の間隙１１３を塞ぐために設置されるものであり、外壁１１０側に設置されたスライド床１１と、地盤１１１側に固定された固定床１２とを備えている。
【００１８】
スライド床１１は、図３に示すように、細長い短冊状の鋼鉄からなるスライドバー１１ａが櫛状に並列されている。スライドバー１１ａの裏側には、先端側に補強板１１ｂが幅方向に溶接されており、さらには、スライドバー１１ａの裏側の後端寄りの位置に、細長い帯板形状の補強バー１１ｃが幅方向に溶接されている。補強板１１ｂと補強板１１ｃとが補強部材である。また、図１及び図２に示すように、スライドバー１１ａの外壁１１０側の一端には、外壁１１０と対面する位置に細長い帯板形状の補強板１１ｄが溶接されており、さらに、スライドバー１１ａの外壁１１０側の一端の下側には、断面正方形形状の角材からなるスライド部材１１ｅが溶接されている。そして、スライド部材１１ｅと整合する位置には、上方に開口する溝を有する受レール１１ｆが外壁１１０に固定されており、スライド部材１１ｅは受レール１１ｆ内に収容され、図２に示すＹ方向にスライド可能とされている。
【００１９】
一方、固定床１２は、図１及び図２に示すように、細長い短冊状の鋼鉄からなる固定バー１２ａが櫛状に並列されており、地盤１１１に設けられた矩形状の凹部１１１ａ上に少しの空間を隔てて地盤１１１側に片持ち固定されている。固定バー１２ａの後端には、図４に示すように、鋼鉄製の固定板１２ｂが幅方向に溶接されており、さらに、固定バー１２ａの後端下側には、固定バー１２ａを地盤１１１に固定するための固定部材１３が溶接されている。固定部材１３には固定バー１２ａの長さ方向に突出する凸部１３ａが設けられており、凸部１３ａには複数の穴１３ｂが所定の間隔で複数設けられている。また、地盤１１１の凸部１３ａと整合する位置には、図１に示すようにＬ字金具１４が取付けられており、Ｌ字金具１４と凸部１３ａとがボルト及びナットによって締結されることにより、固定床１２が地盤１１に固定されている。
【００２０】
また、地盤１１１に形成された矩形状の凹部１１１ａには、スライド床１１の補強板１１ｂと対面する位置に、鋼鉄製のレール１５ａ、１５ｂが互いに平行で幅方向に延在するように所定の間隔で固定されている。
【００２１】
次に、実施例１のエキスパンションジョイントカバーの地震時における作用効果について説明する。
地震時において、外壁１１０と地盤１１１とが地震動によって接近する場合、図５（ａ）の状態にあったスライド床１１の後端が外壁１１０に押される。これにより、スライドバー１１ａを固定している補強板１１ｂがレール１５ａ、１５ｂ上をスライドし、スライド床１１が地盤１１１の方向に近づく。これによりスライド床１１は固定床１２の長さ方向に深く侵入して、図５（ｂ）に示す状態となる。
また、外壁１１０と地盤１１１とが地震動によって離れていく場合、スライド床１１の後端に溶接されているスライド部材１１ｅは、受レール１１ｆから外壁１１０方向へ押される。これにより、スライドバー１１ａを固定している補強板１１ｂがレール１５ａ、１５ｂ上をスライドし、スライド床１１が地盤１１１から離れる方向に移動する。これにより固定床１２の長さ方向に深く侵入していたスライド床１１が引き抜かれる方向へ移動し、図５（ｃ）に示す状態となる。
以上のようにして、実施例１のエキスパンションジョイントカバーは、図１におけるＸ方向に伸縮することができる。
【００２２】
一方、外壁１１０と地盤１１１とが地震動によって図１におけるＹ方向へ相対移動する場合、スライド部材１１ｅが受レール１１ｆ上を図２に示すＹ方向にスライドすることにより、スライド床１１と固定床１２との位置関係は変化しない。このとき、スライド床１１の先端は、固定床１２から、Ｙ方向への力のモーメントを受けるが、スライド床１１のスライドバー１１ａの裏側には、図５に示すように、補強板１１ｂと補強バー１１ｃとが溶接されて補強されているため、固定床１２からのＹ方向の力のモーメントを受けても、変形し難い。
こうして、実施例１のエキスパンションジョイントカバーは、図１におけるＹ方向へも伸縮することができる。
【００２３】
以上のように実施例１のエキスパンションジョイントカバーでは、免震構造物と非免震構造物とが地震動によってＸ方向やＹ方向の相対移動をしても、スライド床１１が移動することにより、破損を免れることができる。また、スライド床１１が補強板１１ｂと補強バー１１ｃとからなる補強材で補強されているため、破損し難い。
【００２４】
（実施例２）
実施例２のエキスパンションジョイントカバーを図６及び図７に示す。このエキスパンションジョイントカバーは、実施例１のエキスパンションジョイントカバーと同様、外壁１１０側に設置されたスライド床２１と、地盤１１１側に固定された固定床１２とを備えており、スライド床２１には、図８に示すように、細長い短冊状の鋼鉄からなるスライドバー２１ａが櫛状に並列されている。そして、スライドバー２１ａの下には、下方に開口する断面コ字形状の鋼鉄製角材からなるスライド部材２５が長さ方向に所定の間隔で複数本溶接されている。また、スライド部材２５と直角方向に２列の補強バー２６ａ、２６ｂがスライドバー２１ａに溶接されている。スライド部材２５と補強バー２６ａ、２６ｂとが補強部材である。また、図６に示すように、スライドバー２１ａの後端には、外壁１１０と対面する位置に細長い帯板形状の補強板２１ｄが溶接されている。また、スライドバー２１ａの後端の下側には、実施例１と同様のスライド手段が設けられている。スライド手段に関する同一の構成には同一の符号を付して説明を省略する。
【００２５】
また、固定床１２も実施例１と同様であり、同一の構成については同一の符号を付して詳細な説明を省略する。
【００２６】
また、図７に示すように、地盤１１１に形成された矩形状の凹部１１１ａには、スライド床２１のスライド部材２５と対面する位置に、鋼鉄製の角材からなる複数本の受レール２７がスライドバー２１ａの長さ方向に延在して固定されている。
【００２７】
次に、実施例２のエキスパンションジョイントカバーの地震時における作用効果について説明する。
地震時において、外壁１１０と地盤１１１とが地震動によって接近する場合、図９（ａ）の状態にあったスライド床２１の後端が外壁１１０に押される。これにより、スライド部材２５が受レール２７上をスライドし、スライド床１１が地盤１１１の方向に近づく方向に移動する。これによりスライドバー１１ａの先端が固定バー１２ａの間を長さ方向に深く侵入して、図９（ｂ）に示す状態となる。
また、外壁１１０と地盤１１１とが地震動によって離れていく場合、スライド床２１の後端に溶接されているスライド部材１１ｅは、受レール１１ｆから外壁１１０方向へ押される。これにより、スライド部材２５が受レール２７上をスライドし、スライド床２１が地盤１１１から遠ざかる方向に移動する。これによりスライドバー２１ａの先端が固定バー１２ａの間を長さ方向に深く侵入して、図９（ｃ）に示す状態となる。
以上のようにして、実施例２のエキスパンションジョイントカバーは、図７におけるＸ方向に伸縮することができる。
【００２８】
一方、外壁１１０と地盤１１１とが地震動によって図１におけるＹ方向へ相対移動する場合は、実施例１と同様に、スライド床２１ｅが受レール１１ｆ上をＹ方向にスライドすることにより、固定床１２とともに移動し、スライド床２１と固定床１２との位置関係は変化しない。このとき、スライド床２１の先端は、固定床１２から、Ｙ方向の力のモーメントを受けるが、スライド床２１のスライドバー２１ａの裏側には、図８に示すように、スライド部材２５と補強バー２６ａ、２６ｂとがスライドバー２１ａに溶接されて補強されているため、固定床１２からのＹ方向の力のモーメントを受けても変形し難い。こうして、実施例２のエキスパンションジョイントカバーは、図１におけるＹ方向へも伸縮することができる。
【００２９】
以上のように実施例２のエキスパンションジョイントカバーによっても、実施例１のエキスパンションジョイントカバーと同様、外壁１１０と地盤１１１とが地震動によってＸ方向やＹ方向の相対移動をしても、スライド床２１が移動することにより、破損を免れることができる。また、スライドバー２１ａの裏側に固定されたスライド部材２５及び地盤１１１に固定された受レール２７によって、その荷重を支えることができる。このため、スライドバー２１ａの強度をそれほど大きくする必要がなくなり、スライドバー２１ａの幅や高さを小さくすることができ、ひいては、製造コストを低廉化することができる。
【００３０】
また、図７に示すように、受レール２７はスライドバー２１ａの長さ方向に延在しているため、スライドバー２１ａの間から凹部１１１ａ上に落下した塵埃は、受レール２７に堰き止められることなく、間隙１１３の方向へ移動できる。このため、凹部１１１ａ上に塵埃が貯まり難く、凹部１１１ａを水洗する等して塵埃の除去も容易に行うことができる。
【００３１】
（実施例３）
実施例３のエキスパンションジョイントカバーは、図１０に示すように、スライド床３１の補強バー３６ａ、３６ｂ、３６ｃがスライド部材３５を跨ぎながら幅方向に延在しており、スライドバー３１ａとスライド部材３５との間に隙間が存在している（図１１）。補強バー３６ａ、３６ｂ、３６ｃ及びスライド部材３５が補強部材である。その他の構成については実施例２のエキスパンションジョイントカバーと同様であり、同一の構成には同一の符号を付して説明を省略する。
説明を省略する。
【００３２】
実施例３のエキスパンションジョイントカバーでは、実施例２のエキスパンションジョイントカバーと同様の作用効果に加え、次のような作用効果を奏する。すなわち、このエキスパンションジョイントカバーは、図１１に示すように、スライドバー３１ａとスライド部材３５との間に隙間が存在しているため、スライドバー３１ａ間からスライド部材３５上に落ちた塵埃３８をその隙間から排除させることができる。このため、スライドバー３１ａ間に落ちた塵埃の排除がさらに容易となる。
【００３３】
（実施例４）
実施例４のエキスパンションジョイントカバーは、図１２に示すように、地盤１１１に形成された矩形状の凹部１１１ａに固定された受レール４７が、間隙１１３側に突出している。他の構成は実施例３のエキスパンションジョイントカバーと同様であり、同一の構成には同一の符号を付して説明を省略する。
【００３４】
このエキスパンションジョイントカバーは、間隙１１３側に突出する受けレール４７によってスライド床３１を支えることができるため、間隙１１３の幅がエキスパンションジョイントカバーの可動範囲よりも長くても、スライド床３１の長さを間隙１１３の幅よりも短くすることができる。また、スライド床３１を支える受レール４７が、地盤１１１側から間隙１１３側に突出する分だけ長くなり、さらに機械的な強度が増す。このため、スライド床３１のスライドバー３１ａの強度をさらに小さくすることができ、スライドバー３１ａの幅や高さをさらに小さくすることができ、ひいては、製造コストをさらに低廉化することができる。
【００３５】
（実施例１〜４の変形例）
上記、実施例１〜４では、固定床を地盤に片持ちさせることによって、固定床の下方にスライド床の補強材との干渉を防ぐ空間を形成させていたが、片持ちの代わりに固定床の上面に板を溶接等によって固定し、その板の端部を地盤に固定させることによって、固定床の下に空間を形成させる構造としても良い。
【００３６】
この発明は上記発明の実施の態様及び実施例の説明に何ら限定されるものではない。特許請求の範囲を逸脱せず、当業者が容易に想到できる範囲で種々の変形態様もこの発明に含まれる。
【産業上の利用可能性】
【００３７】
本発明の免震構造物用可動床は、免震構造物周囲に設けられた溝の遮蔽用として用いることができる。
【図面の簡単な説明】
【００３８】
【図１】実施例１のエキスパンションジョイントカバーの断面図である。
【図２】実施例１のエキスパンションジョイントカバーに係り、スライドバーの一部を剥がした状態の斜視図である。
【図３】実施例１のエキスパンションジョイントカバーのスライド床の斜視図である。
【図４】実施例１のエキスパンションジョイントカバーの固定床の斜視図である。
【図５】実施例１のエキスパンションジョイントカバーの地震時における駆動状態を示した断面図である。
【図６】実施例２のエキスパンションジョイントカバーの断面図である。
【図７】実施例２のエキスパンションジョイントカバーに係り、スライドバーの一部を剥がした状態の斜視図である。
【図８】実施例２のエキスパンションジョイントカバーに係り、スライドバーの一部を剥がした状態の斜視図である。
【図９】実施例２のエキスパンションジョイントカバーの地震時における駆動状態を示した断面図である。
【図１０】実施例３のエキスパンションジョイントカバーに係り、スライドバーの一部を剥がした状態の斜視図である。
【図１１】実施例３のエキスパンションジョイントカバーの一部断面図である。
【図１２】実施例４のエキスパンションジョイントカバーの断面図である。
【図１３】従来のエキスパンションジョイントカバーの平面図である。
【図１４】図１３におけるＡ−Ａ矢視断面図である。
【図１５】図１３におけるＢ−Ｂ矢視断面図である。
【符号の説明】
【００３９】
１１０…外壁（免震構造物）
１１１…地盤（非免震構造物）
１１３…間隙
１２ａ、２１ａ、３１ａ…固定バー
１２、２１、３１…固定床
１１ａ、２１ａ、３１ａ…スライドバー
１１、２１、３１…スライド床
１１ｃ、１１ｂ、２５、２６ａ、２６ｂ、３６ａ、３６ｂ、３６ｃ、３５…補強部材（１１ｃ、２６ａ、３６ａ、３６ｂ、３６ｃ…補強バー、１１ｂ…補強板、２５、３５…スライド部材）
２７、３７、４７…受レール
１１ｅ、１１ｆ…スライド手段（１１ｅ…スライド部材、１１ｆ…受レール）
【図１】
2008297788.tif 000003
【図２】
2008297788.tif 000004
【図３】
2008297788.tif 000005
【図４】
2008297788.tif 000006
【図５】
2008297788.tif 000007
【図６】
2008297788.tif 000008
【図７】
2008297788.tif 000009
【図８】
2008297788.tif 000010
【図９】
2008297788.tif 000011
【図１０】
2008297788.tif 000012
【図１１】
2008297788.tif 000013
【図１２】
2008297788.tif 000014
【図１３】
2008297788.tif 000015
【図１４】
2008297788.tif 000016
【図１５】
2008297788.tif 000017